(57)【要約】【課題】  洗浄槽の洗浄室に洗剤を供給しやすい通水路を持つ洗剤供給装置を提供することを課題とする。【解決手段】  食器洗浄機の洗剤供給装置は、上方に開口し内部に洗浄室を区画する凹状の洗浄槽の立壁に配置される。洗剤供給装置は、洗剤を貯留する貯留室２１５と、貯留室２１５と洗浄室とを連通する第一連通口２１１と、第一連通口２１１に独立して貯留室２１５と洗浄室とを連通する第二連通口２１３と、を持つ洗剤タンクと、第一連通口２１１を開閉可能な第一蓋２１２と、第二連通口２１３を開閉可能な第二蓋２１４と、を備える。洗剤を貯留室２１５から洗浄室に供給する際、第一蓋２１２と第二蓋２１４とを開け、洗浄室に対して、第一連通口２１１と貯留室２１５と第二連通口２１３とを結ぶ通水路７を確保し、通水路７に水を流すことにより、洗剤を洗浄室に導くことを特徴とする。【選択図】  図１７
2005131054.tif 000002
【特許請求の範囲】
【請求項１】
上方に開口し内部に洗浄室を区画する凹状の洗浄槽の立壁に配置される食器洗浄機の洗剤供給装置であって、
洗剤を貯留する貯留室と、該貯留室と該洗浄室とを連通する第一連通口と、該第一連通口に独立して該貯留室と該洗浄室とを連通する第二連通口と、を持つ洗剤タンクと、
該第一連通口を開閉可能な第一蓋と、
該第二連通口を開閉可能な第二蓋と、
を備え、
該洗剤を該貯留室から該洗浄室に供給する際、該第一蓋と該第二蓋とを開け、該洗浄室に対して、該第一連通口と該貯留室と該第二連通口とを結ぶ通水路を確保し、該通水路に水を流すことにより、該洗剤を該洗浄室に導くことを特徴とする食器洗浄機の洗剤供給装置。
【請求項２】
前記洗剤を前記貯留室から前記洗浄室に供給する際、前記第一蓋は全開位置と全閉位置との間の半開位置に保持され、前記第二蓋は全開位置に保持される請求項１に記載の食器洗浄機の洗剤供給装置。
【請求項３】
前記第一連通口は、前記貯留室に前記洗剤を補充する洗剤補充口であり、
前記第二連通口は、該洗剤補充口の下方に配置され、前記洗浄室に該洗剤を供給する洗剤供給口であり、
前記第一蓋は、該洗剤補充口を開閉可能な洗剤補充蓋であり、
前記第二蓋は、該洗剤供給口を開閉可能な洗剤供給蓋であり、
前記通水路に、該洗剤補充口、該貯留室、該洗剤供給口の順に、前記水を流す請求項２に記載の食器洗浄機の洗剤供給装置。
【請求項４】
食器を前記洗浄室に収容し前記洗剤を前記貯留室に補充する食器収容工程後において、前記洗剤補充蓋が前記全閉位置、前記全開位置のいずれにあっても、
該食器を該洗剤により洗浄する本洗浄工程において、該洗剤補充蓋は前記半開位置に保持される請求項３に記載の洗剤供給装置。
【発明の詳細な説明】
【技術分野】
【０００１】
本発明は、洗浄槽内に食器を収容し洗浄する食器洗浄機の洗剤供給装置に関する。
【背景技術】
【０００２】
図２５に、食器洗浄機における洗剤供給装置の配置図を示す。図に示すように、洗浄槽１０１の一壁は、下端が枢支された開閉扉１０２となっている。開閉扉１０２の裏面には、洗剤供給装置１００が埋設されている。
【０００３】
図２６に、同食器洗浄機の洗剤供給装置の拡大図を示す。図に示すように、洗剤供給装置１００には、洗剤タンク１０３とリンスタンク１０４とが配置されている。洗剤タンク１０３は、貯留室１１２と洗剤補充−供給口１０５とを備えている。洗剤補充−供給口１０５は、洗剤補充−供給蓋１０６により、開閉可能に覆われている。
【０００４】
食器洗浄前において、操作者は手動で洗剤補充−供給蓋１０６を開け、貯留室１１２に洗剤を補充する。食器洗浄は、予備洗浄工程、本洗浄工程の順に行われる。すなわち、まず予備洗浄工程において食器を水洗いし、次いで本洗浄工程において食器を洗剤で洗う。本洗浄工程においては、自動で洗剤補充−供給蓋１０６が開き、貯留室１１２から洗浄槽１０１の槽内に洗剤が供給される。
【０００５】
ところで、洗剤は粉状を呈している。このため、本洗浄工程において洗剤を供給する際、前工程である予備洗浄工程時の水分により洗剤が凝集し、貯留室１１２の内面に固着してしまう場合がある。この場合、洗剤を洗浄槽１０１の槽内に供給しにくくなる。
【０００６】
この点に鑑み、特許文献１には、給水管から洗浄槽１０１の槽内に放出される水により、貯留室１１２の洗剤を槽内に流し込む洗剤供給装置が紹介されている。
【特許文献１】特開２０００−３００４９８号公報（第５図）
【発明の開示】
【発明が解決しようとする課題】
【０００７】
しかしながら、同文献記載の洗剤供給装置の場合、前出図２５、図２６に示す洗剤供給装置と同様に、貯留室１１２と洗浄槽１０１の槽内とを連通しているのは、洗剤補充−供給口１０５のみである。このため、単一の洗剤補充−供給口１０５を介して、水が貯留室１１２に出入りすることになる。したがって、出入りする水流同士が衝突し、水が流れにくい。
【０００８】
本発明の洗剤供給装置は、上記課題に鑑みて完成されたものである。したがって、本発明は、洗浄槽の洗浄室に洗剤を供給しやすい通水路を持つ洗剤供給装置を提供することを目的とする。
【課題を解決するための手段】
【０００９】
（１）上記課題を解決するため、本発明の食器洗浄機の洗剤供給装置は、上方に開口し内部に洗浄室を区画する凹状の洗浄槽の立壁に配置される食器洗浄機の洗剤供給装置であって、洗剤を貯留する貯留室と、該貯留室と該洗浄室とを連通する第一連通口と、該第一連通口に独立して該貯留室と該洗浄室とを連通する第二連通口と、を持つ洗剤タンクと、該第一連通口を開閉可能な第一蓋と、該第二連通口を開閉可能な第二蓋と、を備え、該洗剤を該貯留室から該洗浄室に供給する際、該第一蓋と該第二蓋とを開け、該洗浄室に対して、該第一連通口と該貯留室と該第二連通口とを結ぶ通水路を確保し、該通水路に水を流すことにより、該洗剤を該洗浄室に導くことを特徴とする。
【００１０】
本発明の洗剤供給装置によると、洗剤を貯留室から洗浄室に供給する際（例えば、上記本洗浄工程の際）において、第一連通口と貯留室と第二連通口とを結ぶ通水路が形成される。この通水路に水（温水を含む）を流すことにより、貯留室の洗剤を洗浄室に導く。
【００１１】
本発明の洗剤供給装置によると、第一連通口と第二連通口とのうち、一方を入口、他方を出口として、通水路を形成することができる。すなわち、第一連通口→貯留室→第二連通口、あるいは第二連通口→貯留室→第一連通口の順に、水が流れる通水路を形成することができる。このため、水の流れがスムーズである。したがって、水流に乗せて洗浄室に洗剤を円滑供給することができる。
【００１２】
（２）好ましくは、前記洗剤を前記貯留室から前記洗浄室に供給する際、前記第一蓋は全開位置と全閉位置との間の半開位置に保持され、前記第二蓋は全開位置に保持される構成とする方がよい。なお、全開位置とは、口を全開する位置をいう。全閉位置とは、口を全閉する位置をいう。半開位置とは、全開位置と全閉位置との間の所定位置をいう。
【００１３】
本構成によると、第一蓋が半開位置に保持される。したがって、第一連通口も半開状態となる。このため、第一蓋および第二蓋がともに全開位置の場合と比較して、通水路における通水抵抗が大きくなる。すなわち、水の流速が遅くなる。本構成によると、洗浄室に対する洗剤の供給速度を遅くすることができる。言い換えると、洗剤を、少量ずつ長い時間、供給し続けることができる。
【００１４】
（３）好ましくは、上記（２）の構成において、前記第一連通口は、前記貯留室に前記洗剤を補充する洗剤補充口であり、前記第二連通口は、該洗剤補充口の下方に配置され、前記洗浄室に該洗剤を供給する洗剤供給口であり、前記第一蓋は、該洗剤補充口を開閉可能な洗剤補充蓋であり、前記第二蓋は、該洗剤供給口を開閉可能な洗剤供給蓋であり、前記通水路に、該洗剤補充口、該貯留室、該洗剤供給口の順に、前記水を流す構成とする方がよい。
【００１５】
本構成によると、上から下に向かう方向に通水路が確保されている。このため、重力に従って、水および洗剤が流れやすい。また、洗剤補充口は洗剤供給口よりも上に配置されている。このため、開閉しないタイプの立壁に洗剤供給装置が配置されている場合、洗剤の補充が容易である。
【００１６】
（４）好ましくは、上記（３）の構成において、食器を前記洗浄室に収容し前記洗剤を前記貯留室に補充する食器収容工程後において、前記洗剤補充蓋が前記全閉位置、前記全開位置のいずれにあっても、該食器を該洗剤により洗浄する本洗浄工程において、該洗剤補充蓋は前記半開位置に保持される構成とする方がよい。
【００１７】
本構成によると、食器収容工程後における洗剤補充蓋の位置に依らず、洗剤補充蓋は自動で半開位置に切り替わる。したがって、本洗浄工程において確実に洗剤を洗浄室に供給することができる。
【発明の効果】
【００１８】
本発明によると、洗浄室に洗剤を供給しやすい通水路を持つ洗剤供給装置を提供することができる。
【発明を実施するための最良の形態】
【００１９】
以下、本発明の洗剤供給装置の実施の形態について説明する。
【００２０】
まず、本実施形態の洗剤供給装置の配置について説明する。図１に、本実施形態の洗剤供給装置の配置図を示す。なお、以後説明に用いる各図においては、キッチンの意匠パネルからキッチン内部に向かう方向を、後ろから前に向かう方向と定義している。また、後方から前方を見た場合を基準に、左右方向を定義している。
【００２１】
図に示すように、食器洗浄機９０は、キッチン９の意匠パネル９３に対して後方に引き出し可能である。すなわち、食器洗浄機９０は、いわゆるビルトイン引出しタイプである。食器洗浄機９０の洗浄槽９１は、上方に開口する箱状を呈している。洗浄槽９１内には、洗浄室９１０が区画されている。洗浄槽９１の底壁上面には、食器かご９４が固定されている。食器かご９４には、皿やコップなどの食器９５が載置されている。洗剤供給装置１は、洗浄槽９１の後壁９２に埋設されている。後壁９２は、本発明の立壁に含まれる。洗剤供給装置１と食器９５との間のスペースは、比較的狭小である。
【００２２】
次に、本実施形態の洗剤供給装置の前面側（洗浄槽９１槽内側）の構成について説明する。図２に、本実施形態の洗剤供給装置の前面側の合体斜視図を示す。図３に、同洗剤供給装置の前面側の分解斜視図を示す。図に示すように、洗剤供給装置１の前面側には、基板２０とパッキン２００とスクリュー２０１と洗剤補充口２１１と洗剤補充蓋２１２と洗剤供給口２１３と洗剤供給ダンパ２１４と貯留室２１５とリンス補充口２２１とリンス補充蓋２２２とリンス供給口２２３とが配置されている。洗剤供給ダンパ２１４は、本発明の洗剤供給蓋に含まれる。
【００２３】
基板２０は、樹脂製であって矩形板状を呈している。基板２０の前面は、洗浄槽９１の後壁９２に開設された矩形枠９２０から、槽内に表出している。基板２０の外縁には、スクリュー座２０２が合計八つ配置されている。また、基板２０と後壁９２との間には、ゴム製であって矩形枠状のパッキン２００が介装されている。後壁９２を貫通したスクリュー２０１がスクリュー座２０２に螺着されることにより、パッキン２００を介して基板２０が後壁９２後面に固定されている。
【００２４】
洗剤補充口２１１は、基板２０上部に開設されている。洗剤補充口２１１は、上向きであって上下方向に曲がる弧枠状を呈している。洗剤補充口２１１を介して、貯留室２１５に、粉状の洗剤が補充される。洗剤補充蓋２１２は、樹脂製であって弧板状を呈している。洗剤補充蓋２１２は、洗剤補充口２１１を開閉可能に覆っている。洗剤補充蓋２１２は、手動により、あるいは後述する駆動部材により、揺動可能である。
【００２５】
洗剤供給口２１３は、洗剤補充口２１１の下方に開設されている。洗剤供給口２１３は、矩形枠状を呈している。洗剤供給口２１３を介して、貯留室２１５から、前出図１の洗浄室９１０に、洗剤が供給される。洗剤供給ダンパ２１４は、樹脂製であって矩形板状を呈している。洗剤供給ダンパ２１４は、洗剤供給口２１３を開閉可能に仕切っている。洗剤供給ダンパ２１４は、後述する駆動部材により揺動可能である。
【００２６】
リンス補充口２２１は、洗剤補充口２１１の左側に並んで開設されている。リンス補充口２２１は、上向きであって円形を呈している。リンス補充蓋２２２は、樹脂製であって、上面にグリップ２２２ａを持つ円板状を呈している。グリップ２２２ａの中央には、樹脂製であって透明な導光柱体２２２ｂが組み込まれている。導光柱体２２２ｂは、リンス補充蓋２２２を上下方向に貫通している。リンス補充蓋２２２は、リンス補充口２１１に対し、脱着可能に捻り固定されている。
【００２７】
リンス供給口２２３は、洗剤供給口２１３の下方に配置されている。リンス供給口２２３は、矩形小枠状を呈している。
【００２８】
次に、本実施形態の洗剤供給装置の後面側（前出図１の意匠パネル９３側）の構成について説明する。図４に、本実施形態の洗剤供給装置の後面側の合体後面図を示す。図５に、同洗剤供給装置の後面側の右側面図を示す。図６に、同洗剤供給装置の後面側の洗剤タンク側の分解斜視図を示す。図７に、同洗剤供給装置の後面側のリンスタンク側の分解斜視図を示す。なお、洗浄槽の後壁は、省略して示す。
【００２９】
これらの図に示すように、洗剤供給装置１の後面側には、基板２０と洗剤タンク本体２１０とリンスタンク本体２２０とリンス供給弁２２４と縦リンク部３と横リンク部４と縦リンク付勢ばね５と駆動部材６とが配置されている。
【００３０】
洗剤タンク本体２１０は、樹脂製であって凹状を呈している。洗剤タンク本体２１０は、ゴム製のパッキン（図略）を介して、基板２０のタンク枠２０５に伏設されている。洗剤タンク本体２１０は、基板２０に、スクリュー（図略）により螺着されている。洗剤タンク本体２１０の内部には、前記洗剤補充蓋２１２と洗剤供給ダンパ２１４とが配置されている。これら洗剤補充蓋２１２と洗剤供給ダンパ２１４とに仕切られて、洗剤タンク本体２１０内部に前出図２の貯留室２１５が区画されている。洗剤補充蓋２１２の左右壁には、それぞれ補充蓋側揺動凹部２１２ａが凹設されている。洗剤供給ダンパ２１４の左右壁には、それぞれ供給ダンパ側揺動凹部２１４ａが凹設されている。
【００３１】
洗剤タンク本体２１０の右壁上部には、縦第一揺動孔２１０ａが穿設されている。また、左壁上部からは、タンク内に向かって、縦第一揺動突起２１０ｄが突設されている。縦第一揺動孔２１０ａと縦第一揺動突起２１０ｄと補充蓋側揺動凹部２１２ａとは、同軸上に配置されている。また、洗剤タンク本体２１０の右壁下部には、縦第二揺動孔２１０ｂが穿設されている。左壁下部からは、タンク内に向かって、縦第二揺動突起２１０ｅが突設されている。縦第二揺動孔２１０ｂと縦第二揺動突起２１０ｅと供給ダンパ側揺動凹部２１４ａとは、同軸上に配置されている。また、縦第二揺動孔２１０ｂの上方には、当接座２１０ｆが突設されている。また、洗剤タンク本体２１０の座壁からは、後方に向かって座壁ボス２１０ｃが突設されている。
【００３２】
洗剤タンク本体２１０と、基板２０において洗剤タンク本体２１０が伏設されたタンク枠２０５内部分とにより、洗剤タンク２１は形成されている。すなわち、洗剤タンク２１は、貯留室２１５（洗剤タンク本体２１０側）と洗剤補充口２１１（基板２０側）と洗剤供給口２１３（基板２０側）とを有する。
【００３３】
リンスタンク本体２２０は、透明な樹脂製であって凹状を呈している。リンスタンク本体２２０は、基板２０のリンス枠２０６に伏設されている。リンスタンク本体２２０は、基板２０後面に接合されている。リンスタンク本体２２０は、洗剤タンク本体２１０の左縁から下縁に亘って延びるＬ字状を呈している。
【００３４】
リンス供給弁２２４は、リンスタンク本体２２０のＬ字端に配置されている。リンス供給弁２２４は、弁座２２４ａと弁体２２４ｂと弁体付勢ばね２２４ｃと押さえ部材２２４ｄとを備えている。弁座２２４ａは、被係合枠２２４ｈを有する。弁座２２４ａは、リンスタンク本体２２０に固定されている。弁体２２４ｂは、シール板２２４ｆとシャフト２２４ｅとを備えている。シール板２２４ｆは、ゴム製であって円板状を呈している。シャフト２２４ｅは、樹脂製であって左右方向に延びる細板状を呈している。シール板２２４ｆは、シャフト２２４ｅの左先端に固定されている。シャフト２２４ｅの右先端には、切り欠き状のフック２２４ｇが形成されている。弁体付勢ばね２２４ｃは、シャフト２２４ｅに環装されている。押さえ部材２２４ｄは、樹脂製であって左側に開口する有底円筒状を呈している。押さえ部材２２４ｄの外周面には、係合爪２２４ｉが配置されている。係合爪２２４ｉが前記被係合枠２２４ｈに係止された状態で、押さえ部材２２４ｄは弁座２２４ａに固定されている。また、押さえ部材２２４ｄと弁座２２４ａとにより区画されるスペースには、弁体付勢ばね２２４ｃが乾燥された弁体２２４ｂが収容されている。また、押さえ部材２２４ｄの右底壁には、シャフト貫通孔２２４ｊが穿設されている。前記シャフト２２４ｅのフック２２４ｇは、このシャフト貫通孔２２４ｊから、外部に突出している。弁体付勢ばね２２４ｃは、シール板２２４ｆと押さえ部材２２４ｄとの間で、圧縮されている。言い換えると、弁体付勢ばね２２４ｃは、シール板２２４ｆを弁座２２４ａの方向に付勢している。
【００３５】
リンスタンク本体２２０の後壁上部からは、後方に向かってＬＥＤ座２２０ａが突設されている。ＬＥＤ座２２０ａには、ＬＥＤ２２０ｂが装着されている。また、リンスタンク本体２２０の内部には、下壁ボス２２０ｅを介して、釘状のフロート支持部材２２０ｄが挿入されている。フロート支持部材２２０ｄには、リング状のフロート２２０ｃが環装されている。フロート２２０ｃは、リンス液面のレベルに応じて浮沈する。フロート２２０ｃを介して、液面センサ（図略）は、リンスタンク本体２２０内のリンス液面を検知する。リンス液面が所定レベル以下になると、液面センサからの指示により、ＬＥＤ２２０ｂが点灯する。前述したように、リンスタンク本体２２０は透明である。また、前出図２に示すように、リンス補充蓋２２２には、透明な導光柱体２２２ｂが組み込まれている。このため、ＬＥＤ２２０ｂの点灯は、リンスタンク本体２２０、導光柱体２２２ｂを介して、操作者に視認される。
【００３６】
駆動部材６は、ケース６４と往復駆動突起６０と突起付勢ばね６１と押さえリング６２と釘部６３とを備えている。ケース６４は、金属製であって直方体箱状を呈している。ケース６４は、前記洗剤タンク本体２１０の後壁に、スクリュー（図略）により、螺着されている。往復動突起６０は、金属製であって円柱状を呈している。往復動突起６０は、ケース６４の右壁を貫通して配置されている。往復動突起６０は、ケース６４に収容されたソレノイドコイル（図略）の電磁力により、左方向（ケース６４接近方向）にスライド可能である。押さえリング６２は、金属製であって往復動突起６０右先端に止着されている。突起付勢ばね６１は、往復動突起６０に環装されている。突起付勢ばね６１は、押さえリンク６２とケース６４右壁との間で圧縮されている。すなわち突起付勢ばね６１は、往復動突起６０を右方向（ケース６４離間方向）に付勢している。
【００３７】
縦リンク部３は、縦第一アーム３０と縦第二アーム３１とを備えている。縦第一アーム３０は、樹脂製であって、縦第一ボス３００と内側扇板３０１と外側扇板３０２とガイドリブ３０３とを備えている。縦第一ボス３００は、左右に延びる円筒状を呈している。縦第一ボス３００は、前記縦第一揺動孔２１０ａ、補充蓋側揺動凹部２１２ａと、同軸上に配置されている。縦第一ボス３００と補充蓋側揺動凹部２１２ａとがスクリュー３０４により螺着され、縦第一アーム３０は洗剤補充蓋２１２に固定されている。すなわち、縦第一アーム３０および洗剤補充蓋２１２は、縦第一揺動軸ｘ１を中心に揺動可能である。ガイドリブ３０３は、部分螺旋状であって縦第一ボス３００の外周面に突設されている。内側扇板３０１は、ガイド枠３０１ａを有している。内側扇板３０１は、縦第一ボス３００の右端に配置されている。外側扇板３０２は、扇縁３０２ａを有している。外側扇板３０２は、内側扇板３０１の右側に配置されている。
【００３８】
縦第二アーム３１は、樹脂製であって、縦第二ボス３１０とＬ字板３１１と内側突起３１２と縦係合部３１３と外側突起３１４と押圧突起３１５とを備えている。縦第二ボス３１０は、左右に延びる円筒状を呈している。縦第二ボス３１０は、前記縦第二揺動孔２１０ｂ、供給ダンパ側揺動凹部２１４ａと、同軸上に配置されている。縦第二ボス３１０と供給ダンパ側揺動凹部２１４ａとがスクリュー３１６により螺着され、縦第二アーム３１は洗剤供給ダンパ２１４に固定されている。すなわち、縦第二アーム３１および洗剤供給ダンパ２１４は、縦第二揺動軸ｘ２を中心に揺動可能である。Ｌ字板３１１は、縦第二ボス３１０外周面から上方に突設されている。Ｌ字板３１１の上端には、縦係合部３１３が配置されている。また、Ｌ字板３１１の上端右壁からは、内側突起３１２が突設されている。Ｌ字板３１１の根本からは、右側に向かって外側突起３１４が突設されている。押圧突起３１５は、縦第二ボス３１０下縁から前方に突設されている。押圧突起３１５は、左右方向に対向して合計二つ配置されている。
【００３９】
縦リンク付勢ばね５は、縦第二ボス３１０の外周面に環装されている。縦リンク付勢ばね５の一端は、洗剤タンク本体２１０の右壁の縦第二揺動孔２１０ｂ付近に止着されている。一方、縦リンク付勢ばね５の他端は、縦第二ボス３１０に止着されている。縦リンク付勢ばね５は、縦第二アーム３１を、洗剤供給ダンパ２１４が開く方向（図中前から下に回る方向）に付勢している。
【００４０】
横リンク部４は、横第一アーム４０と横第二アーム４１と横リンク付勢ばね４２とを備えている。横第一アーム４０は、樹脂製であって、横第一ボス４００と横第一アーム本体４０２と係止リブ４０３と合体用凸部４０４と縦第二用受け座４０５とを備えている。横第一ボス４００は、前後方向に延びる円筒状を呈している。横第一ボス４００は、前記座壁ボス２１０ｃの内周側に配置されている。横第一ボス４００は、座壁ボス２１０ｃと同軸上に配置されている。横第一アーム本体４０２は、横第一ボス４００の後端から、下方に向かって延設されている。横第一アーム本体４０２の下部は、後方に屈曲する段状を呈している。係止リブ４０３は、段内部に配置されている。合体用凸部４０４は、直方体状を呈している。合体用凸部４０４は、横第一ボス４００の後端上縁に配置されている。縦第二用受け座４０５は、上面が弧状の直方体状を呈している。縦第二用受け座４０５は、横第一ボス４００の後端左右縁に対向して合計二つ配置されている。
【００４１】
横第二アーム４１は、樹脂製であって、横第二ボス４１０と横第二アーム本体４１２と釘部用Ｕ字枠４１３と合体用孔４１４と被ガイド突起４１５と横係合部４１６とを備えている。横第二ボス４１０は、前後方向に延びる円筒状を呈している。横第二ボス４１０は、前記横第一ボス４００の内周側に挿入されている。横第二ボス４１０は、前記座壁ボス２１０ｃおよび横第一ボス４００と同軸上に配置されている。また、スクリュー４３は、横第二ボス４１０および横第一ボス４００を貫通して、座壁ボス２１０ｃに螺着されている。したがって、横第二アーム４１および横第一アーム４０は、横揺動軸ｙを中心に揺動可能である。横第二アーム本体４１２は、横第二ボス４１０の後端から、上方に向かって延設されている。横第二アーム本体４１２の上部は、後方に屈曲する段状を呈している。上部後面には、横係合部４１６が配置されている。また、上部左側には、釘部用Ｕ字枠４１３が配置されている。また、上部前面からは、鉛筆状の被ガイド突起４１５が突設されている。合体用孔４１４は、矩形枠状を呈している。合体用孔４１４は、横第二ボス４１０の後端上縁に、前記合体用凸部４０４と対向して配置されている。
【００４２】
横リンク付勢ばね４２は、横第一ボス４００に環装されている。横リンク付勢ばね４２は、前記座壁ボス２１０ｃの前底壁と横第一アーム本体４０２との間において、圧縮されている。したがって、横リンク付勢ばね４２は、横第一アーム４０を横第二アーム４１方向に付勢している。
【００４３】
次に、本実施形態の洗剤供給装置のリンク機構について説明する。図８に、本実施形態の洗剤供給装置の縦リンク部、横リンク部付近の拡大斜視図を示す。図９に、同洗剤供給装置の縦リンク部、横リンク部付近の拡大分解斜視図を示す。なお、図９において、洗剤タンク本体２１０は省略して示す。また、これらの図に示すのは、後述する手動開閉モードの状態である。
【００４４】
これらの図に示すように、手動開閉モードにおいては、駆動部材６の釘部６３は、横第二アーム４１の釘部用Ｕ字枠４１３に係止されている。横第二アーム４１の横係合部４１６の後方には、縦リンク付勢ばね５に付勢され、縦第二アーム３１の縦係合部３１３が圧接している。つまり、縦第二アーム３１は、縦リンクばね５の付勢力が蓄積された状態で、横第二アーム４１により押さえつけられている。横第二アーム４１の被ガイド突起４１５は、縦第一アーム３０のガイドリブ３０３に当接している。横第二アーム４１の合体用孔４１４は、合体用凸部４０４と、所定間隔離間して、前後方向に対向している。
【００４５】
縦第二アーム３１の内側突起３１２は、縦第一アーム３０の内側扇板３０１のガイド枠３０１ａ内に、挿入されている。これに対し、縦第二アーム３１の外側突起３１４は、縦第一アーム３０の外側扇板３０２の扇縁３０２ａに、当接している。縦第二アーム３１の押圧突起３１５は、横第一アーム４０の縦第二用受け座４０５に当接している。つまり、横第一アーム４０は、横リンク付勢ばね４２により、横第二アーム４１方向および縦第二アーム３１方向に付勢された状態で、縦第二アーム３１により押さえつけられている。また、縦第二アーム３１は、前述したように横第二アーム４１により押さえつけられている。したがって、横第二アーム４１により、縦リンク付勢ばね５および横リンク付勢ばね４２の付勢力が、共に蓄積されている。横第一アーム４０の係止リブ４０３は、リンス供給弁２２４のフック２２４ｇと係合している。
【００４６】
次に、本実施形態の洗剤供給装置の動きについて、食器洗浄機の工程と対応させながら説明する。表１に、食器洗浄機の工程と洗剤供給装置の動きとの対応表を示す。
【００４７】
【表１】
2005131054.tif 000003
【００４８】
表に示すように、食器洗浄機の工程は、食器収容工程、予備洗浄工程、本洗浄工程、リンス工程、すすぎ工程、乾燥工程、食器回収工程の順に行われる。洗剤供給装置のモードには、手動開閉モードとメイン洗剤モードとリンスモードと手動復帰モードとサブ洗剤モードとがある。
【００４９】
各モードにより、洗剤補充蓋は、蓋が完全に閉まる全閉位置と、蓋が完全に開く全開位置と、蓋が全閉位置と全開位置との中間で止まる半開位置とに切り替わる。同様に、各モードにより、洗剤供給ダンパは、全閉位置と全開位置とに切り替わる。また、リンス供給弁は、リンスモードにおいて、まず全閉位置から全開位置に切り替わり、次いで全開位置から全閉位置に切り替わる。以下、食器洗浄機の各工程ごとに具体的に説明する。
【００５０】
食器収容工程においては、前出図１に示すように、まず、操作者が食器洗浄機９０の洗浄槽９１を引き出す。洗浄槽９１は、キッチン９の意匠パネル９３から、後方（室内）に突出する。次いで、操作者は、食器かご９４に食器９５を並べる。それから、操作者は、手動で前出図２に示す洗剤補充蓋２１２を開ける。すなわち、本工程においては、洗剤供給装置１は手動開閉モードにある。
【００５１】
図１０に、本実施形態の洗剤供給装置の縦リンク部および横リンク部の模式右側面分解図を示す。また、図１１に、同洗剤供給装置の手動開閉モード（全閉位置）における透過右側面図を示す。（ａ）は、縦リンク部および横リンク部の透過右側面図である。（ｂ）は、洗剤タンク本体内の透過右側面図である。なお、説明の便宜のため、図１０に示すように、各部材はデフォルメして模式的に示す。
【００５２】
図１１に示すように、操作者が洗剤補充蓋２１２を全閉位置から開けると、洗剤補充蓋２１２と縦第一揺動軸ｘ１により連結された縦第一アーム３０も、図中時計回りに揺動する。ガイド枠３０１ａの一端には、全閉位置決め絞り部３０１ｂが配置されている。全閉位置においては、全閉位置決め絞り部３０１ｂと縦第二アーム３１の内側突起３１２とが干渉している。この干渉により、全閉位置の位置決めが行われている。洗剤補充蓋２１２を開ける際には、相対的に、内側突起３１２が全閉位置決め絞り部３０１ｂを乗り越える。乗り越えた内側突起３１２がガイド枠３０１ａの他端まで移動すると、洗剤補充蓋２１２は、全開位置に切り替わる。
【００５３】
図１２に、本実施形態の洗剤供給装置の手動開閉モード（全開位置）における透過右側面図を示す。（ａ）は、縦リンク部および横リンク部の透過右側面図である。（ｂ）は、洗剤タンク本体内の透過右側面図である。
【００５４】
洗剤補充蓋２１２を開けた操作者は、図に示すように、洗剤タンク本体２１０に洗剤を補充する。また、前出図２に示す導光柱体２２２ｂが点灯していれば、操作者は、手動でリンス補充蓋２２２を開け、リンスも補充する。そして、再び、洗剤補充蓋２１２を前出図１１に示す全閉位置まで揺動させる。つまり、手動開閉モードにおいては、前出表１に示すように、洗剤補充蓋２１２は、全閉→全開→再び全閉の順に切り替えられる。
【００５５】
洗剤補充蓋２１２を閉めた操作者は、前出図１に示すように、洗浄槽９１をキッチン９内に押し込む。そして、意匠パネル９３に区画された操作部（図略）のスタートボタンを押す。これにより、食器洗浄が開始される。
【００５６】
予備洗浄工程においては、水により、食器の洗浄が行われる。本工程においては、洗剤供給装置は作動しない。
【００５７】
本洗浄工程においては、前出表１に示すように、メイン洗剤モードとサブ洗剤モードとが択一的に行われる。すなわち、前記手動開閉モードにおいて、洗剤補充後の洗剤補充蓋２１２が全閉位置まで閉められた場合は、メイン洗剤モードが行われる。一方、洗剤補充後の洗剤補充蓋２１２が全開位置のままの場合（つまり操作者が閉め忘れた場合）は、サブ洗剤モードが行われる。ここでは、メイン洗剤モードについて説明する。サブ洗剤モードについては後述する。
【００５８】
図１３に、本実施形態の洗剤供給装置の縦リンク部および横リンク部のメイン洗剤モード（全閉位置）における後面図を示す。図１４に、同縦リンク部および横リンク部のメイン洗剤モード（開き中）における後面図を示す。図１５に、同縦リンク部および横リンク部のメイン洗剤モード（半開位置）における後面図を示す。図１６に、縦第二アームと横第二アームとの係合状態の模式図を示す。図１７に、本実施形態の洗剤供給装置のメイン洗剤モード（半開位置）における透過右側面図を示す。（ａ）は、縦リンク部および横リンク部の透過右側面図である。（ｂ）は、洗剤タンク本体内の透過右側面図である。なお、図１６（ａ）は、図１３のＡ視図である。また、図１６（ｂ）は、図１４のＢ視図である。また、図１６（ｃ）は、図１５のＣ視図である。
【００５９】
前出図１１に示す全閉位置においては、図１６（ａ）、あるいは図１３中実線ハッチングで示すように、横第二アーム４１の横係合部４１６の後面に、縦第二アーム３１の縦係合部３１３が、圧接している。この状態で、駆動部材６のソレノイドコイルが通電されると、図１３および図１６（ａ）に示すように、往復駆動突起６０がケース内に没入する。ここで、往復動突起６０と一体の釘部６３は、横第二アーム４１の釘部用Ｕ字枠４１３に係止されている。このため、横第二アーム４１は、横揺動軸ｙを中心に、図１３中において反時計回りに揺動する。したがって、横係合部４１６は、縦係合部３１３に対して、左方向にスライドする。そして、図１４および図１６（ｂ）に示すように、横係合部４１６から縦係合部３１３が解放される。図１６（ｂ）において、縦係合部３１３つまり縦第二アーム３１は、縦リンク付勢ばね５により、前方に付勢されている。このため、縦第二アーム３１は、図１７（ａ）に示すように、縦第二揺動軸ｘ２を中心に、図中時計回りに揺動する。縦第二アーム３１と洗剤供給ダンパ２１４とは、縦第二揺動軸ｘ２により連結されている。したがって、図１７（ｂ）に示すように、洗剤供給ダンパ２１４も図中時計回りに揺動し、全閉位置から全開位置に切り替わる。
【００６０】
一方、図１４に点線ハッチングで示すように、スライドする横第二アーム４１の被ガイド突起４１５は、縦第一アーム３０のガイドリブ３０３に摺接している。このため、被ガイド突起４１５が左方向にスライドすると、ガイドリブ３０３は上方に押し上げられる。この押し上げがきっかけとなり、縦第一アーム３０の揺動が始まる。図１７（ａ）に示すように、縦第一アーム３０の外側扇板３０２の扇縁３０２ａには、縦第二アーム３１の外側突起３１４が摺接している。この摺接を介して、縦第二アーム３１の揺動力が縦第一アーム３０に伝達される。このため、縦第一アーム３０は、縦第一揺動軸ｘ１を中心に、図１７中時計回りに揺動する。縦第一アーム３０と洗剤補充蓋２１２とは、縦第一揺動軸ｘ１により連結されている。このため、図１７（ｂ）に示すように、洗剤補充蓋２１２も図中時計回りに揺動し、全閉位置から半開位置に切り替わる。この揺動は、縦第二アーム３１の半開位置決め突起３１７が、前出図１０に示す洗剤タンク本体２１０の当接座２１０ｆに当接することで、終了する。すなわち、縦リンク付勢ばね５により付勢されている半開位置決め突起３１７が、当接座２１０ｆに当接することで、洗剤補充蓋２１２は半開位置に保持される。図１７（ｂ）に示すように、半開の洗剤補充口２１１と貯留室２１５と全開の洗剤供給口２１３との間には、通水路７が形成される。通水路７を水が流れることにより、洗剤タンク本体２１０内の洗剤は、固着することなく、前出図１の洗浄室９１０に供給される。
【００６１】
また、図１７（ａ）に示すように、縦第二アーム３１の押圧突起３１５が図中時計回りに揺動することで、横リンク付勢ばね４２の付勢力により、横第一アーム４０が後方に移動する。このため、横第一アーム４０の合体用凸部４０４が、横第二アーム４１の合体用孔４１４に挿入係止される。すなわち、横第一アーム４０と横第二アーム４１とが合体する。
【００６２】
また、図１６（ｃ）に示すように、横係合部４１６から縦係合部３１３が解放されると、駆動部材６に対する通電が断たれる。このため、往復動突起６０および釘部６３は、突起付勢ばね６１の付勢力により右方向に復元する。したがって、横第二アーム４１も図１６（ａ）の位置まで復動する。
【００６３】
以上説明したように、本モードにおいては、洗剤補充蓋２１２が全閉位置から半開位置に切り替わる。また、洗剤供給ダンパ２１４が全閉位置から全開位置に切り替わる。また、横第一アーム４０と横第二アーム４１とが合体する。
【００６４】
リンス工程においては、前出表１に示すように、リンスモードに切り替えられる。図１８に、本実施形態の洗剤供給装置の縦リンク部および横リンク部のリンスモード（全開位置）における後面図を示す。図に示すように、本モードにおいては、再び通電された駆動部材６が駆動する。前述のメイン洗剤モード同様に、駆動部材６の釘部６３に引っ張られて、横第二アーム４１は、左方向に揺動する。ここで、横第一アーム４０と横第二アーム４１とは合体している。このため、横第一アーム４０および横第二アーム４１は、横揺動軸ｙを中心に、反時計回りに一体揺動する。したがって、横第一アーム４０下端の係止リブ４０３は、右方向に揺動する。係止リブ４０３は、リンス供給弁のフック２２４ｇに係合している。係止リブ４０３に引っ張られて、フック２２４ｇつまり前出図７に示す弁体２２４ｂも右方向にスライドする。このため、シール板２２４ｆが、弁体付勢ばね２２４ｃの付勢力に抗して、弁座２２４ａから離座する。このシール板２２４ｆと弁座２２４ａとの隙間を介して、リンスタンク本体２２０内のリンスが前出図２に示すリンス供給口２２３から洗浄槽内に供給される。駆動部材６への通電が遮断されると、前述のメイン洗剤モード同様に、横第二アーム４１は、右方向に揺動し復帰する。このため、横第一アーム４０は左方向に揺動する。そして、弁体２２４ｂは弁体付勢ばね２２４ｃの付勢力により左方向にスライドし、シール板２２４ｆが弁座２２４ａに再び着座する。
【００６５】
このように、本モードにおいては、まず、駆動部材６の電磁力により、リンス供給弁２２４が全閉位置から全開位置に切り替わる。次いで、弁体付勢ばね２２４ｃの付勢力により、リンス供給弁２２４が全開位置から再び全閉位置に切り替わる。
【００６６】
すすぎ工程においては、リンス洗浄後の食器が水によりすすがれる。乾燥工程においては、すすがれた食器が温風により乾燥される。これら両工程においては、洗剤供給装置は作動しない。所定時間乾燥後、食器洗浄機は自動的に停止する。
【００６７】
食器回収工程においては、乾燥後の食器の回収が行われる。すなわち、前出図１に示すように、まず、操作者が食器洗浄機９０の洗浄槽９１を後方に引き出す。次いで、操作者は、食器かご９４から食器９５を回収する。それから、操作者は、手動で前出図２に示す洗剤補充蓋２１２を開ける。本工程においては、洗剤供給装置１は手動復帰モードにある。
【００６８】
図１９に、本実施形態の洗剤供給装置の手動復帰モード（半開位置）における透過右側面図を示す。（ａ）は、縦リンク部および横リンク部の透過右側面図である。（ｂ）は、洗剤タンク本体内の透過右側面図である。図２０に、同洗剤供給装置の手動復帰モード（開き中）における透過右側面図を示す。（ａ）は、縦リンク部および横リンク部の透過右側面図である。（ｂ）は、洗剤タンク本体内の透過右側面図である。
【００６９】
図１９に示すように、操作者が洗剤補充蓋２１２を半開位置から開けると、洗剤補充蓋２１２と縦第一揺動軸ｘ１により連結された縦第一アーム３０も、図中時計回りに揺動する。縦第一アーム３０が所定角度揺動すると、図２０（ａ）に示すように、縦第一アーム３０の内側扇板３０１の復帰用スロープ３０１ｃが、縦第二アーム３１の内側突起３１２に当接する。
【００７０】
図２１に、同洗剤供給装置の手動復帰モード（洗剤供給ダンパ閉じ中）における透過右側面図を示す。（ａ）は、縦リンク部および横リンク部の透過右側面図である。（ｂ）は、洗剤タンク本体内の透過右側面図である。復帰用スロープ３０１ｃが内側突起３１２に当接すると、縦第二アーム３１は、図中反時計回りに揺動する。このため、縦第二アーム３１と縦第二揺動軸ｘ２により連結された洗剤供給ダンパ２１４も、図２１（ｂ）に示すように反時計回りに揺動する。
【００７１】
ここで、縦第二アーム３１は、図中時計回りに、縦リンク付勢ばね５により付勢されている。したがって、操作者は、縦リンク付勢ばね５の付勢力に抗しながら、洗剤供給蓋２１２を開けることになる。また、縦第二アーム３１の押圧突起３１５は、横第一アーム４０の縦第二用受け座４０５に当接している。このため、操作者が縦第二アーム３１を揺動させると、押圧突起３１５に押された横第一アーム４０が、横リンク付勢ばね４２の付勢力に抗しながら、前方向にスライドする。このスライドにより、横第二アーム４１から横第一アーム４０が分離される。このように、操作者は、縦リンク付勢ばね５の付勢力のみならず横リンク付勢ばね４２の付勢力にも抗しながら、洗剤供給蓋２１２を開けることになる。
【００７２】
ところで、前記手動開閉モードに復帰させるためには、前出図１６（ａ）に示すように、縦リンク付勢ばね５および横リンク付勢ばね４２の付勢力を蓄積した縦第二アーム３１の縦係合部３１３を、再び横第二アーム４１の横係合部４１６により、係止する必要がある。言い換えると、縦係合部３１３を横係合部４１６の後方にリセットする必要がある。以下、リセットのための機構について説明する。図２２に、本実施形態の洗剤供給装置の手動復帰モード（開き中）における縦第二アームと横第二アームとの位置関係図を示す。図２３に、縦第二アームと横第二アームとの再係合状態の模式図を示す。なお、説明の便宜上、図２２においては、縦第二アーム３１を一点鎖線で描く。図２２に示すように、横第二アーム４１において横係合部４１６が配置されている立壁の右面には、テーパ部４１７が形成されている。テーパ部４１７は、前方に向かって尖るように形成されている。このテーパ部４１７に、操作者により揺動される縦第二アーム３１の縦係合部３１３が摺接する。すなわち、図２３（ａ）に示すように、縦係合部３１３は、前方からテーパ部４１７に接近する。そして、図２３（ｂ）に示すように、縦係合部３１３左端がテーパ部４１７に当接する。縦係合部３１３左端がテーパ部４１７に当接すると、縦係合部３１３の持つ前から後方向の応力が、テーパ部４１７を介して、右から左方向の応力に変換される。この変換された応力により、往復駆動突起６０は、駆動部材６のケース内に没入する。そして、図２３（ｃ）に示すように、縦係合部３１３はテーパ部４１７を乗り越える。その後、図２３（ｄ）に示すように、縦係合部３１３が横係合部４１６の後方にリセットされる。すなわち、前出図１２に示す手動開閉モードの全開位置に復帰する。
【００７３】
以上説明したように、本モードにおいては、手動により、洗剤補充蓋が半開位置から手動開閉モードの全開位置に復帰する。また、洗剤供給ダンパが全開位置から全閉位置に復帰する。
【００７４】
次に、サブ洗剤モードについて説明する。本モードは、前記食器収容工程の手動開閉モード終了時において、洗剤補充後の洗剤補充蓋２１２が全開位置の場合に行われる。図２４に、本モードの場合の内側扇板と縦第二アームとの位置関係図を示す。なお、図に示すのは、手動開閉モードの洗剤補充蓋全開位置を示す前出図１２から、内側扇板３０１と縦第二アーム３１とを抜粋したものである。図１２において駆動部材６が駆動されると、前記メイン洗剤モード時と同様に、横第二アーム４１から縦第二アーム３１が解放される。解放された縦第二アーム３１は、縦リンク付勢ばねの付勢力により、図中時計回りに揺動する。揺動の際、図２４に示すように、縦第二アーム３１の内側突起３１２は、復帰用スロープ３０１ｃを乗り越える。復帰用スロープ３０１ｃつまり縦第一アーム３０は、このとき内側突起３１２から受ける応力により、図中反時計回りに揺動する。縦第二アーム３１の揺動は、前記メイン洗剤モード時と同様に、前出図１０における半開位置決め突起３１７が当接座２１０ｆに当接することにより終了する。
【００７５】
このようにして、本モードにおいては、洗剤補充蓋２１２が、全開位置から前出図１７に示す半開位置に、切り替わる。また、洗剤供給ダンパ２１４が全閉位置から全開位置に切り替わる。また、前記メイン洗剤モード時と同様に、横第一アーム４０と横第二アーム４１とが合体する。なお、本モード後においては、前述したリンス工程、すすぎ工程、乾燥工程、食器回収工程が順次行われる。
【００７６】
次に、本実施形態の洗剤供給装置の効果について説明する。本実施形態の洗剤供給装置１によると、前出図１７（ｂ）に示すように、本洗浄工程において、洗剤補充口２１１→貯留室２１５→洗剤供給口２１３と繋がる一方通行の通水路７が形成される。このため、水の流れがスムーズである。したがって、水流に乗せて洗浄室９１０に洗剤を円滑供給することができる。
【００７７】
また、本洗浄工程において、洗剤補充蓋２１２は半開位置に保持される。したがって、洗剤補充蓋２１２および洗剤供給蓋２１４が、ともに全開位置の場合と比較して、通水路７における通水抵抗が大きくなる。すなわち、水の流速が遅くなる。本構成によると、洗浄室９１０に対する洗剤の供給速度を遅くすることができる。言い換えると、洗剤を、少量ずつ長い時間、供給し続けることができる。
【００７８】
また、本実施形態の洗剤供給装置１によると、上から下に向かう方向に通水路７が確保されている。このため、重力に従って、水および洗剤が流れやすい。また、洗剤補充口２１１は洗剤供給口２１３よりも上に配置されている。加えて、洗剤補充口２１１は上向きに開口している。このため、洗剤の補充が容易である。
【００７９】
また、本実施形態の洗剤供給装置１によると、食器収容工程後において洗剤補充蓋２１２が全閉位置にある場合はメイン洗剤モードにより、食器収容工程後において洗剤補充蓋２１２が全開位置にある場合はサブ洗剤モードにより、本洗浄工程において洗剤補充蓋２１２が自動的に半開位置に切り替わる。したがって、本洗浄工程において確実に洗剤を洗浄室９１０に供給することができる。
【００８０】
また、本実施形態の洗剤供給装置１によると、操作者が貯留室２１５に補充した洗剤は、貯留室２１５直下の洗剤供給ダンパ２１４上に滞留する。前出表１の本洗浄工程においては、この洗剤供給ダンパ２１４が揺動し、閉位置から開位置に切り替わる。すなわち、洗剤供給ダンパ２１４の傾斜が大きくなる。したがって、洗剤供給ダンパ２１４上に滞留した洗剤は、ちょうどダンプカーの荷台に積載された砂が地面に滑り落ちるように、洗浄室９０１内に自重により滑落する。この点においても、本実施形態の洗剤供給装置１は、洗剤を洗浄室９０１に供給しやすい。
【００８１】
また、本実施形態の洗剤供給装置１によると、洗剤補充蓋２１２が半開位置の場合における洗剤補充口２１１の開口幅は狭い。このため、半開位置のまま、操作者が洗剤を貯留室２１５に補充するのは困難である。すなわち、洗剤を補充するためには、必ず前出表１の手動復帰モードを行う必要がある。したがって、洗剤補充蓋２１２が半開位置のまま、言い換えると洗剤供給ダンパ２１４が全開位置のまま、操作者が洗剤を補充し、洗剤が洗剤供給口２１３から漏出するのを抑制することができる。
【００８２】
以上、本発明の洗剤供給装置の実施の形態について説明した。しかしながら、実施の形態は上記形態に特に限定されるものではない。当業者が行いうる種々の変形的形態、改良的形態で実施することも可能である。例えば、前出表１の手動復帰モードは、食器収容工程において行ってもよい。手動開閉モードの前に行いさえすればよい。また、洗剤は粉状でなくてもよい。例えば、粘性の高いジェル状などであってもよい。また、本実施形態の洗剤供給装置１は、ビルトイン引出しタイプに限らず立壁（前出図１の後壁９２）を持つあらゆるタイプの食器洗浄機に採用することができる。
【図面の簡単な説明】
【００８３】
【図１】本発明の一実施形態となる洗剤供給装置の配置図である。
【図２】同洗剤供給装置の前面側の合体斜視図である。
【図３】同洗剤供給装置の前面側の分解斜視図である。
【図４】同洗剤供給装置の後面側の合体後面図である。
【図５】同洗剤供給装置の後面側の右側面図である。
【図６】同洗剤供給装置の後面側の洗剤タンク側の分解斜視図である。
【図７】同洗剤供給装置の後面側のリンスタンク側の分解斜視図である。
【図８】同洗剤供給装置の縦リンク部、横リンク部付近の拡大斜視図である。
【図９】同洗剤供給装置の縦リンク部、横リンク部付近の拡大分解斜視図である。
【図１０】同洗剤供給装置の縦リンク部および横リンク部の模式右側面分解図である。
【図１１】同洗剤供給装置の手動開閉モード（全閉位置）における透過右側面図である。
【図１２】同洗剤供給装置の手動開閉モード（全開位置）における透過右側面図である。
【図１３】同洗剤供給装置の縦リンク部および横リンク部のメイン洗剤モード（全閉位置）における後面図である。
【図１４】同洗剤供給装置の縦リンク部および横リンク部のメイン洗剤モード（開き中）における後面図である。
【図１５】同洗剤供給装置の縦リンク部および横リンク部のメイン洗剤モード（半開位置）における後面図である。
【図１６】同洗剤供給装置の縦第二アームと横第二アームとの係合状態を示す模式図である。
【図１７】同洗剤供給装置のメイン洗剤モード（半開位置）における透過右側面図である。
【図１８】同洗剤供給装置の縦リンク部および横リンク部のリンスモード（全開位置）における後面図である。
【図１９】同洗剤供給装置の手動復帰モード（半開位置）における透過右側面図である。
【図２０】同洗剤供給装置の手動復帰モード（開き中）における透過右側面図である。
【図２１】同洗剤供給装置の手動復帰モード（洗剤供給ダンパ閉じ中）における透過右側面図である。
【図２２】同洗剤供給装置の手動復帰モード（開き中）における縦第二アームと横第二アームとの位置関係図である。
【図２３】同洗剤供給装置の縦第二アームと横第二アームとの再係合状態を示す模式図である。
【図２４】同洗剤供給装置のサブ洗剤モードにおける内側扇板と縦第二アームとの位置関係図である。
【図２５】従来の食器洗浄機における洗剤供給装置の配置図である。
【図２６】同食器洗浄機の洗剤供給装置の拡大図である。
【符号の説明】
【００８４】
１：洗剤供給装置。
２０：基板、２００：パッキン、２０１：スクリュー、２０２：スクリュー座、２０５：タンク枠、２０６：リンス枠、２１：洗剤タンク、２１０：洗剤タンク本体、２１０ａ：縦第一揺動孔、２１０ｂ：縦第二揺動孔、２１０ｃ：座壁ボス、２１０ｄ：縦第一揺動突起、２１０ｅ：縦第二揺動突起、２１０ｆ：当接座、２１１：洗剤補充口、２１２：洗剤補充蓋、２１２ａ：補充蓋側揺動凹部、２１３：洗剤供給口、２１４：洗剤供給ダンパ（洗剤供給蓋）、２１４ａ：供給ダンパ側揺動凹部、２１５：貯留室、２２０：リンスタンク本体、２２０ａ：ＬＥＤ座、２２０ｂ：ＬＥＤ、２２０ｃ：フロート、２２０ｄ：フロート支持部材、２２０ｅ：下壁ボス、２２１：リンス補充口、２２２：リンス補充蓋、２２２ａ：グリップ、２２２ｂ：導光柱体、２２３：リンス供給口、２２４：リンス供給弁、２２４ａ：弁座、２２４ｂ：弁体、２２４ｃ：弁体付勢ばね、２２４ｄ：押さえ部材、２２４ｅ：シャフト、２２４ｆ：シール板、２２４ｇ：フック、２２４ｈ：被係合枠、２２４ｉ：係合爪、２２４ｊ：シャフト貫通孔。
３：縦リンク部、３０：縦第一アーム、３００：縦第一ボス、３０１：内側扇板、３０１ａ：ガイド枠、３０１ｂ：全閉位置決め絞り部、３０１ｃ：復帰用スロープ、３０２：外側扇板、３０２ａ：扇縁、３０３：ガイドリブ、３０４：スクリュー、３１：縦第二アーム、３１０：縦第二ボス、３１１：Ｌ字板、３１２：内側突起、３１３：縦係合部、３１４：外側突起、３１５：押圧突起、３１６：スクリュー、３１７：半開位置決め突起。
４：横リンク部、４０：横第一アーム、４００：横第一ボス、４０２：横第一アーム本体、４０３：係止リブ、４０４：合体用凸部、４０５：縦第二用受け座、４１：横第二アーム、４１０：横第二ボス、４１２：横第二アーム本体、４１３：釘部用Ｕ字枠、４１４：合体用孔、４１５：被ガイド突起、４１６：横係合部、４１７：テーパ部、４２：横リンク付勢ばね、４３：スクリュー。
５：縦リンク付勢ばね。
６：駆動部材、６０：往復駆動突起、６１：突起付勢ばね、６２：押さえリング、６３：釘部、６４：ケース。
７：通水路。
９：キッチン、９０：食器洗浄機、９１：洗浄槽、９１０：洗浄室、９２：後壁（立壁）、９２０：矩形枠、９３：意匠パネル、９４：食器かご、９５：食器。
ｘ１：縦第一揺動軸、ｘ２：縦第二揺動軸、ｙ：横揺動軸。
【図１】
2005131054.tif 000004
【図２】
2005131054.tif 000005
【図３】
2005131054.tif 000006
【図４】
2005131054.tif 000007
【図５】
2005131054.tif 000008
【図６】
2005131054.tif 000009
【図７】
2005131054.tif 000010
【図８】
2005131054.tif 000011
【図９】
2005131054.tif 000012
【図１０】
2005131054.tif 000013
【図１１】
2005131054.tif 000014
【図１２】
2005131054.tif 000015
【図１３】
2005131054.tif 000016
【図１４】
2005131054.tif 000017
【図１５】
2005131054.tif 000018
【図１６】
2005131054.tif 000019
【図１７】
2005131054.tif 000020
【図１８】
2005131054.tif 000021
【図１９】
2005131054.tif 000022
【図２０】
2005131054.tif 000023
【図２１】
2005131054.tif 000024
【図２２】
2005131054.tif 000025
【図２３】
2005131054.tif 000026
【図２４】
2005131054.tif 000027
【図２５】
2005131054.tif 000028
【図２６】
2005131054.tif 000029